【手続補正書】
【提出日】平成16年4月20日(2004.4.20)
【手続補正１】
【補正対象書類名】明細書
【補正対象項目名】請求項１９
【補正方法】変更
【補正の内容】
【請求項１９】
上記ディスク回転部および上記ヘッド部はベースユニットに固定され、上記ベースユニットは制振部材を介してベースユニットホルダに取り付けられる
ことを特徴とする請求項１８に記載のディスクドライブ装置。
【手続補正２】
【補正対象書類名】明細書
【補正対象項目名】請求項２０
【補正方法】変更
【補正の内容】
【請求項２０】
上記振動・衝撃識別手段は、
上記ディスク状記録媒体上のトラックに対する上記ヘッド部の位置ずれを示すトラッキングエラー信号のレベルが所定範囲内にあるか否かを判定する信号レベル判定手段を有し、
上記信号レベル判定手段の判定結果によって、上記外部からの一定レベル以上の振動または衝撃があるか否かを識別する
ことを特徴とする請求項１８に記載のディスクドライブ装置。
【手続補正３】
【補正対象書類名】明細書
【補正対象項目名】請求項２１
【補正方法】変更
【補正の内容】
【請求項２１】
上記振動・衝撃識別手段は、
上記ヘッド部が上記ディスク状記録媒体上のトラックの所定アドレス位置にくる毎に、このヘッド部が１トラック前のアドレス位置にトラックジャンプするように制御するホールド手段と、
上記トラックジャンプの間隔が一定であるか否かを判定するトラックジャンプ間隔判定手段とを有し、
上記トラックジャンプ間隔判定手段の判定結果によって、上記外部からの一定レベル以上の振動または衝撃があるか否かを識別する
ことを特徴とする請求項１８に記載のディスクドライブ装置。
【手続補正４】
【補正対象書類名】明細書
【補正対象項目名】請求項２２
【補正方法】変更
【補正の内容】
【請求項２２】
上記振動・衝撃識別手段は、
上記ヘッド部が上記ディスク状記録媒体上のトラックの所定アドレス位置にくる毎に、このヘッド部が１トラック前のアドレス位置にトラックジャンプするように制御するホールド手段と、
上記トラックジャンプした後に上記ヘッド部が位置するアドレス位置が一定であるか否かを判定するアドレス位置判定手段とを有し、
上記アドレス位置判定手段の判定結果によって、上記外部からの一定レベル以上の振動または衝撃があるか否かを識別する
ことを特徴とする請求項１８に記載のディスクドライブ装置。
【手続補正５】
【補正対象書類名】明細書
【補正対象項目名】請求項２３
【補正方法】変更
【補正の内容】
【請求項２３】
上記振動・衝撃識別手段は、
上記スピンドルモータの回転を制御するスピンドルモータ制御信号のレベルが所定範囲内にあるか否かを判定する信号レベル判定手段を有し、
上記信号レベル判定手段の判定結果によって、上記外部からの一定レベル以上の振動または衝撃があるか否かを識別する
ことを特徴とする請求項１８に記載のディスクドライブ装置。
【手続補正６】
【補正対象書類名】明細書
【補正対象項目名】請求項２４
【補正方法】変更
【補正の内容】
【請求項２４】
ディスク状記録媒体を回転させるためのスピンドルモータを有するディスク回転部と、上記ディスク状記録媒体に対してデータの記録または再生の少なくとも一方を行うためのヘッド部とを備えるベースユニットを、制振部材を介してベースユニットホルダに取り付けてなるディスクドライブ装置において、
上記ディスク回転部を制御して上記ディスク状記録媒体を第１の回転速度で回転させる第１の工程と、
上記ディスク状記録媒体が上記第１の回転速度で回転している状態で、上記ディスク状記録媒体が偏芯ディスクまたは偏重心ディスクであるか否かを識別する第２の工程と、
上記ディスク状記録媒体が偏芯ディスクまたは偏重心ディスクであるとき、上記ディスク状記録媒体の回転速度を上記第１の回転速度より遅い第２の回転速度に設定する第３の工程と
を備えることを特徴とするディスクドライブ装置の回転速度設定方法。
【手続補正７】
【補正対象書類名】明細書
【補正対象項目名】請求項２５
【補正方法】変更
【補正の内容】
【請求項２５】
上記ディスク状記録媒体上のトラックに対する上記ヘッド部の位置ずれを示すトラッキングエラー信号を形成するエラー信号形成手段を有し、
上記第２の工程では、上記トラッキングエラー信号のレベルが所定範囲内にあるか否かによって上記ディスク状記録媒体が偏芯ディスクまたは偏重心ディスクであるか否かを識別する
ことを特徴とする請求項２４に記載のディスクドライブ装置の回転速度設定方法。
【手続補正８】
【補正対象書類名】明細書
【補正対象項目名】請求項２６
【補正方法】変更
【補正の内容】
【請求項２６】
上記第２の工程では、
上記ヘッド部が上記ディスク状記録媒体上のトラックの所定アドレス位置にくる毎に、このヘッド部が１トラック前のアドレス位置にトラックジャンプするように制御されるホールド状態とし、上記トラックジャンプの間隔が一定であるか否かによって上記ディスク状記録媒体が偏芯ディスクまたは偏重心ディスクであるか否かを識別する
ことを特徴とする請求項２４に記載のディスクドライブ装置の回転速度設定方法。
【手続補正９】
【補正対象書類名】明細書
【補正対象項目名】請求項２７
【補正方法】変更
【補正の内容】
【請求項２７】
上記第２の工程では、
上記ヘッド部が上記ディスク状記録媒体上のトラックの所定アドレス位置にくる毎に、このヘッド部が１トラック前のアドレス位置にトラックジャンプするように制御されるホールド状態とし、上記トラックジャンプした後に上記ヘッド部が位置するアドレス位置が一定であるか否かによって上記ディスク状記録媒体が偏芯ディスクまたは偏重心ディスクであるか否かを識別する
ことを特徴とする請求項２４に記載のディスクドライブ装置の回転速度設定方法。
【手続補正１０】
【補正対象書類名】明細書
【補正対象項目名】請求項２８
【補正方法】変更
【補正の内容】
【請求項２８】
上記第２の工程では、
上記スピンドルモータの回転を制御するスピンドルモータ制御信号のレベルが所定範囲内にあるか否かによって上記ディスク状記録媒体が偏芯ディスクまたは偏重心ディスクであるか否かを識別する
ことを特徴とする請求項２４に記載のディスクドライブ装置の回転速度設定方法。
【手続補正１１】
【補正対象書類名】明細書
【補正対象項目名】請求項２９
【補正方法】変更
【補正の内容】
【請求項２９】
ディスク状記録媒体を回転させるためのスピンドルモータを有するディスク回転部と、上記ディスク状記録媒体に対してデータの記録または再生の少なくとも一方を行うためのヘッド部とを有するディスクドライブ装置において、
上記ディスク回転部を制御して上記ディスク状記録媒体を第１の回転速度で回転させる第１の工程と、
上記ディスク状記録媒体が上記第１の回転速度で回転している状態で、外部からの一定レベル以上の振動または衝撃があるか否かを識別する第２の工程と、
上記外部からの一定レベル以上の振動または衝撃があるとき、上記ディスク状記録媒体の回転速度を上記第１の回転速度より遅い第２の回転速度に設定する第３の工程と
を備えることを特徴とするディスクドライブ装置の回転速度設定方法。
【手続補正１２】
【補正対象書類名】明細書
【補正対象項目名】請求項３０
【補正方法】変更
【補正の内容】
【請求項３０】
上記ディスク状記録媒体上のトラックに対する上記ヘッド部の位置ずれを示すトラッキングエラー信号を形成するエラー信号形成手段を有し、
上記第２の工程では、上記トラッキングエラー信号のレベルが所定範囲内にあるか否かによって上記外部からの一定レベル以上の振動または衝撃があるか否かを識別する
ことを特徴とする請求項２９に記載のディスクドライブ装置の回転速度設定方法。
【手続補正１３】
【補正対象書類名】明細書
【補正対象項目名】請求項３１
【補正方法】変更
【補正の内容】
【請求項３１】
上記第２の工程では、
上記ヘッド部が上記ディスク状記録媒体上のトラックの所定アドレス位置にくる毎に、このヘッド部が１トラック前のアドレス位置にトラックジャンプするように制御されるホールド状態とし、上記トラックジャンプの間隔が一定であるか否かによって上記外部からの一定レベル以上の振動または衝撃があるか否かを識別する
ことを特徴とする請求項２９に記載のディスクドライブ装置の回転速度設定方法。
【手続補正１４】
【補正対象書類名】明細書
【補正対象項目名】請求項３２
【補正方法】変更
【補正の内容】
【請求項３２】
上記第２の工程では、
上記ヘッド部が上記ディスク状記録媒体上のトラックの所定アドレス位置にくる毎に、このヘッド部が１トラック前のアドレス位置にトラックジャンプするように制御されるホールド状態とし、上記トラックジャンプした後に上記ヘッド部が位置するアドレス位置が一定であるか否かによって上記外部からの一定レベル以上の振動または衝撃があるか否かを識別する
ことを特徴とする請求項２９に記載のディスクドライブ装置の回転速度設定方法。
【手続補正１５】
【補正対象書類名】明細書
【補正対象項目名】請求項３３
【補正方法】変更
【補正の内容】
【請求項３３】
上記第２の工程では、
上記スピンドルモータの回転を制御するスピンドルモータ制御信号のレベルが所定範囲内にあるか否かによって上記外部からの一定レベル以上の振動または衝撃があるか否かを識別する
ことを特徴とする請求項２９に記載のディスクドライブ装置の回転速度設定方法。
【手続補正１６】
【補正対象書類名】明細書
【補正対象項目名】００１６
【補正方法】変更
【補正の内容】
【００１６】
また、この発明に係るディスクドライブ装置の回転速度設定方法は、ディスク状記録媒体を回転させるためのスピンドルモータを有するディスク回転部と、ディスク状記録媒体に対してデータの記録または再生の少なくとも一方を行うためのヘッド部とを備えるベースユニットを、制振部材を介してベースユニットホルダに取り付けてなるディスクドライブ装置において、ディスク回転部を制御してディスク状記録媒体を第１の回転速度で回転させる第１の工程と、ディスク状記録媒体が第１の回転速度で回転している状態で、ディスク状記録媒体が偏芯ディスクまたは偏重心ディスクであるか否かを識別する第２の工程と、ディスク状記録媒体が偏芯ディスクまたは偏重心ディスクであるとき、ディスク状記録媒体の回転速度を第１の回転速度より遅い第２の回転速度に設定する第３の工程とを備えるものである。


【手続補正１７】
【補正対象書類名】明細書
【補正対象項目名】００２１
【補正方法】変更
【補正の内容】
【００２１】
また、この発明に係るディスクドライブ装置の回転速度設定方法は、ディスク状記録媒体を回転させるためのスピンドルモータを有するディスク回転部と、ディスク状記録媒体に対してデータの記録または再生の少なくとも一方を行うためのヘッド部とを有するディスクドライブ装置において、ディスク回転部を制御してディスク状記録媒体を第１の回転速度で回転させる第１の工程と、ディスク状記録媒体が第１の回転速度で回転している状態で、外部からの一定レベル以上の振動または衝撃があるか否かを識別する第２の工程と、外部からの一定レベル以上の振動または衝撃があるとき、ディスク状記録媒体の回転速度を第１の回転速度より遅い第２の回転速度に設定する第３の工程とを備えるものである。